(57)【要約】【課題】本考案は投影スクリーンで画像を投影し投影画面を形成する際に用いられるプレゼンテーションシステムの提供であり、それにはポインターとプロジェクター及び前記プロジェクターと電気的に接続されるパソコンが含まれている。【解決手段】前記パソコンは画像信号を前プロジェクターに出力し、前記プロジェクターは前記画像信号が対応する画像を前記投影スクリーンに投射し前記投射画面を形成させ、前記ポインターは前記投影画面上に指示ポイントを投射することができる。前記プロジェクターは投射される投影画面と前記指示ポイントの画像を捕獲し、前記画像を前記パソコンに伝送し、前記パソコンは前記指示ポイントの前記投影画面の位置によりスクリーン上におけるカーソルのスクリーンで対応し到達すべき位置を計算し、スクリーン上のカーソルを前記到達すべき位置まで移動させる。【選択図】図２
0003128532.tif 000002
【実用新案登録請求の範囲】
【請求項１】
パソコンと電気的に接続されるスクリーン画像を投影スクリーンに投射し投影画面を発生させるプロジェクターであって、
中空のケースと、
前記ケースに固定され、前記パソコンのスクリーン画像を受け、それを前記投影スクリーンに投射し前記投影画面を発生する投影制御ユニットと、
前記ケースが前記投影制御ユニットにより生じた全ての投影画面を捕獲することのできる位置に固定され、前記投影スクリーンの前記全ての投影画面により含まれる領域を含む画像を捕獲する画像捕獲ユニットを含むことを特徴とする、
画像を捕獲するプロジェクター。
【請求項２】
前記ケース箇所に前記投影制御ユニットから前記投影画面を投射される投影出口を設け、かつ前記画像捕獲ユニットは前記投影出口上端に設置されるレンズを有し、前記レンズの光軸と前記投影出口の光軸が互いに平行であることを特徴とする、請求項1に記載の画像を捕獲するプロジェクター。
【請求項３】
さらにワイヤレス受信ユニットを含み、前記ワイヤレス受信ユニットは前記投影スクリーンにより反射、制御される前記パソコンのクリック選択信号を受信し、かつ前記クリック選択信号を前記パソコンに伝送することを特徴とする、請求項１に記載の画像を捕獲するプロジェクター。
【請求項４】
投影スクリーンで画像を投射し投影画面を発生するプレゼンテーションシステムであって、
前記投影スクリーンと前記投影画面により含まれた領域に指示ポイントを投射できるポインターと、
プロジェクターを含み、
前記プロジェクターはさらに中空のケースと、前記ケースに固定されスクリーン画像を受けそれを前記投影スクリーンに投射し前記投影画面を発生させる投影制御ユニットと、
前記ケースが前記投影制御ユニットにより生じた全ての投影画面を捕獲することのできる位置に固定され、前記投影スクリーンの前記投影画面及び前記指示ポイントにより含まれる画像を捕獲する画像捕獲ユニット、
を含むことを特徴とする、プレゼンテーションシステム。
【請求項５】
さらにパソコンを含み、前記投影制御ユニットにより受信される前記スクリーン画像は前記パソコンから出力され、前記画像捕獲ユニットにより捕獲された画像は前記パソコンに入力され分析を行うことを特徴とする、請求項4に記載のプレゼンテーションシステム。
【請求項６】
前記パソコンは画像捕獲ユニットの画像から受信した前記指示ポイントと前記投影画面の相対位置に基づいてパソコンのスクリーン上におけるカーソルのスクリーンで前記指示ポイントに対応し到達すべき位置を計算し、カーソルを前記到達すべき位置まで移動させることを特徴とする、請求項5に記載のプレゼンテーションシステム。
【請求項７】
前記ポインターは第一キー、第二キー、前記第一キーと電気的に接続される指示モジュール、前記第二キーと電気的に接続されるワイヤレス発信モジュールを有し、且つ前記プロジェクターはさらにワイヤレス受信ユニットを含み、前記第一キーが押されると前記指示モジュールが前記指示ポイントを発生し前記第二キーはマウスの左ボタンの機能に似ており、前記第二キーが押されるとワイヤレス発信モジュールがクリック選択信号を発生し、前記ワイヤレス受信ユニットは前記クリック選択信号を受信し受信したクリック選択信号を前記パソコンに伝送し、前記パソコンがそのスクリーンのカーソルの場所にあるものをクリック選択される状態と設定することを特徴とする、請求項6に記載のプレゼンテーションシステム。
【請求項８】
前記ポインターはレーザー光源により前記投影スクリーンに指示ポイントが投射されることを特徴とする、請求項4に記載のプレゼンテーションシステム。
【請求項９】
前記ポインターは赤外線光源により前記投影スクリーンに指示ポイントが投射されることを特徴とする、請求項4に記載のプレゼンテーションシステム。
【考案の詳細な説明】
【技術分野】
【０００１】
本考案はプロジェクターと、前記プロジェクターを持つプレゼンテーションシステムに関し、特に画像を捕獲するプロジェクターと、前記プロジェクターを持つプレゼンテーションシステムに関わる。
【背景技術】
【０００２】
ノート型パソコン及びプレゼンソフトの普及により、多くの人が前もってプレゼンソフトを用いてプレゼン資料を編集し、ノート型パソコンに保存する。
プレゼンを行う際にはプレゼン資料をプレゼンソフトによりノート型パソコンのスクリーンに表示させ、さらにプロジェクターを通して投影スクリーンに投射し、プレゼン資料を聴衆に分かりやすく見せることができるためプレゼンテーションのレベルを向上させることができる。
【０００３】
プレゼンを行う際、報告者は往往にしてプレゼンの重要な点を指し示すために投影スクリーン上で赤色の指示ポイントのレーザーポインターを投射し、例えば赤色の指示ポイントを重要ポイントに沿って取り囲むなどして、聴衆にプレゼンの内容と進度を分かりやすくさせることができる。
しかし、赤色の指示ポイントが移動する跡は一瞬で消えてしまい、投影スクリーン上で表示され続けることがないため、聴衆は報告者が指し示す重要内容をはっきりと見ることができない。
【０００４】
さらに、報告者にとっても、例えばパソコンのマウスを移動させてページを換えたり、表示に必要なマルチメディアをクリックしたり、ファイルを開いたりするなどノート型パソコンを操作しプレゼンテーションをコントロールしなければならないので、ノート型パソコンとレーザーポインターの操作の両方に配慮を加えることは簡単ではない。              
【０００５】
もし二人の人がそれぞれノート型パソコンとレーザーポインターを操作するならば、報告者はプレゼンを行っている際に度度もう一人の人とプレゼン資料の表示進度のタイミングをとらなければならないので、プレゼンテーションを中断することとなりプレゼンが順調に進まなくなる。
【０００６】
プレゼンテーションのレベルを向上させるために、従来のプレゼンテーションシステムは報告者がレーザーポインターを操作する際に前記レーザーポインターを通じてノート型パソコンの動作をコントロールでき、報告者はレーザーポインターにより選択した或いは書き記したプレゼンテーションの重要ポイントを投影スクリーン上に表示させ続けることができる。
【０００７】
図１に示すように、前記プレゼンテーションシステムはプロジェクター８１、レーザーポインター８２、パソコン８３及び画像捕獲ユニット８４を含む。前記プロジェクター８１と前記パソコン８３は電気的に接続され、前記パソコン８３のスクリーン（図示せず）上の画像を投影スクリーン９に投射し、投影画面（図示せず）を発生させる。前記レーザーポインター８２は赤色の指示ポイント（図示せず）を前記投影画面に投射でき、前記画像捕獲ユニット８４と前記パソコン８３は電気的に接続され、前記赤色の指示ポイントと前記投影画面に含まれる画像を絶え間なく捕獲し、前記画像を前記パソコン８３に出力する。前記画像捕獲ユニット８４は一般的に電荷結合素子（Charge Couple Device、略してCCD）により形成されたレンズを含む。
【０００８】
前記パソコン８３は画像上における投影画面の前記指示ポイントの位置をスクリーン上のカーソル（図示せず）の前記指示ポイントに対応し到達すべき位置に変換し、カーソルを前記到達すべき位置まで移動させ、並びに前後二枚の画像中における前記指示ポイントの前記投影画面の移動軌跡により、前記カーソルがスクリーン上で対応する移動軌跡に変換され、前記移動軌跡をスクリーン上に表示する。前記プロジェクター８１は前記パソコン８３のスクリーン画像を投射するので、聴衆は前記投影画面上を見れば報告者が書き記している重要ポイントを理解することができる。
【０００９】
ただし、前記画像捕獲ユニット８４が前記パソコン８３に接続され、その上前記プロジェクター８１との間に決められた位置関係がないので、報告者は毎回前記プレゼンテーションシステムを使用する際、前記画像捕獲ユニット８４に前記投影画面と前記指示ポイントを含んだ画像を捕獲させるために、まず前記画像捕獲ユニット８４の位置を調整しなければならない。プレゼン会場を途中で変更したり、前記プロジェクター８１と前記画像捕獲ユニット８４のいずれかが不注意によりぶつかり移動した場合、報告者は再度前記画像捕獲ユニット８４の位置を調整しなければならないので、使用上とても不便である。
【００１０】
その上、前記パソコン８３に赤色の指示ポイントの軌跡を正確に計算させるために、前記画像捕獲ユニット８４の位置は固定された後、変更することはできず、前後二枚の画像の参考座標は同じものとなる。固定されていない画像捕獲ユニット８４は時時報告者のパソコン８３操作上の不注意によってその位置が変わることがある。
【００１１】
このほか、前記画像捕獲ユニット８４が前記パソコン８３の外に接続されているので、前記画像捕獲ユニット８４に電力を供給するために、報告者は往々にして電源を別に準備する必要があり、携帯上非常に面倒である。
【考案の開示】
【考案が解決しようとする課題】
【００１２】
従って本考案の目的は、画像を捕獲するプロジェクターを提供することであり、前記プロジェクターは従来のプロジェクターと前記画像捕獲ユニットの機能に整合するので、報告者は電源を別に準備する必要がない。
【００１３】
本考案の別の目的はプレゼンテーションシステムを提供することであり、前記プレゼンテーションシステムは報告者がポインターによって書き記した重要ポイント表示することができる。
【課題を解決するための手段】
【００１４】
そこで、本考案の画像を捕獲するプロジェクターは、前記プロジェクターと電気的に接続されているパソコンのスクリーン画像を投影スクリーンに投射し投影画面を発生させ、且つ前記プロジェクターには中空のケース、投影制御ユニット及び画像捕獲ユニットが含まれている。
【００１５】
前記投影制御ユニットは前記ケースに固定され、前記パソコンのスクリーン画像を受信し、その画像を前記投影スクリーンに投射し前記投影画面を発生する。
【００１６】
前記画像捕獲ユニットは前記ケースが前記投影制御ユニットにより生じた全ての投影画面を捕獲することのできる位置に固定され、前記投影スクリーンの前記全ての投影画面により含まれる領域を含む画像を捕獲する。
【００１７】
本考案のプレゼンテーションシステムは投影スクリーンで画像が投射され投影画面が発生するのに用いられ、さらに上記の画像を捕獲するプロジェクターとポインターを含む。
【００１８】
前記ポインターは前記投影スクリーン且つ前期投影画面により含まれる領域で指示ポイントを投射することができる。
【考案の効果】
【００１９】
従って本考案のプロジェクターは従来のプロジェクターと前記画像捕獲ユニットの機能に整合するので、報告者は電源を別に準備する必要がない。
【００２０】
また、本考案のプレゼンテーションシステムは報告者がポインターによって書き記した重要ポイント表示することができる。
【考案を実施するための最良の形態】
【００２１】
本考案の前記内容とその他の技術内容、特徴、効果に関して、以下に示す二つの最適な実施例において詳しく説明する。
【実施例】
【００２２】
図２に示すように、本考案のプレゼンテーションシステムの最適な実施例はプロジェクター１１、ポインター１２、前記プロジェクター１１と電気的に接続されるパソコン１３を含む。
【００２３】
前記プロジェクター１１は画像を捕獲することができ、中空ケース（図示せず）と、投影制御ユニット１１１と、前記ケースに固定され前記パソコン１３と電気的に接続されている画像捕獲ユニット１１２及び前記ケースに固定され前記パソコン１３と電気的に接続されている無線受信ユニット１１３を含む。そのうち前記投影制御ユニット１１１はケースの内部に固定され、前記ケースの適当な位置に投影出口（図示せず）が設けられている。
【００２４】
前記投影制御ユニット１１１は光源（図示せず）と前記光源及び前記パソコン１３と電気的に接続されている制御回路（図示せず）を有する。前記光源はケース内の投影出口にほぼ対応する位置にあり、前記制御回路は前記パソコン１３が出力する画像信号を受信し、前記画像信号に前記光源の投影を処理させ、前記ケースの投影出口により投影画面（図示せず）が投影スクリーン２に投射される。ただしこの部分の技術は本考案の特徴ではなく、この領域の技術者が通常熟知している内容であり、ここではさらに述べることはしない。
【００２５】
前記ポインター１２は第一キー１２１、前記第一キー１２１と電気的に接続される指示モジュール１２２、第二キー１２３、前記第二キー１２３と電気的に接続されるワイヤレス発信モジュール１２４を有する。報告者が前記第一キー１２１を押すと前記指示モジュール１２２は前記投影スクリーン２に前記指示ポイント（図示せず）を発生する。
【００２６】
補足説明すべきことは、本実施例において、前記ポインターはレーザーポインターであるが、これに限るものではなく、その他赤外線方式などの光源を発するポインターを用いてもよい。以下の叙述から分かるように、前記ポインター１２は投影スクリーン２の指示ポイント（図示せず）の位置まで投射し、直ちに前記投影制御ユニット１１１により表示されるので、前記ポインター１２が発する光源は可視光線に限られるわけではなく、もし赤外線などの不可視光線を用いても、本考案のプレゼンテーションシステムにおいて同様の指示効果を得ることができる。
【００２７】
前記画像捕獲ユニット１１２は前記投影スクリーン上で前記ポインター１２の指示ポイント及び前記投影画面を含む画像を絶えず捕獲し、前記画像を前記パソコン１３に伝送する。注意すべきことは、前記画像捕獲ユニット１１２は前記ケースの外に固定され、或いは前記ケース内と前記ケース外に部分的にそれぞれ固定される。このほか、前記ケースを適当に開口部を設けて前記画像捕獲ユニット１１２を前記ケース内に固定しても順調に画像を捕獲できる。すなわち、前記画像捕獲ユニット１１２はケース上の位置に固定されていれさえすれば前記投影制御ユニット１１２により発生する全体の投影画面を捕獲することが可能で、前記投影スクリーン２上の前記投影画面と前記指示ポイントを含む画像を順調に捕獲できる。
【００２８】
本考案の最適な実施例において、前記画像捕獲ユニット１１２はCCDにより形成され、実質前記投影出口上方に設けられているレンズ（図示せず）を有する。前記CCDのレンズの光軸と前記投影出口の光軸は互いに平行であるが、これに限るものではない。前記画像捕獲ユニット１１２のレンズはシーモス（Complement Metal Oxide Semiconductor、略してCMOS）により形成され画像を感知するレンズでもよい。
【００２９】
補足説明すべきことは、前記ポインター１２により発せられる光源が赤外線などの不可視光線のとき、前記画像捕獲ユニット１１２は前記レンズの前に特定の波長からなるフィルターを取り付け、これにより前記レンズが検知する素子は特定周波数帯を検知でき画像を捕獲する。
【００３０】
前記パソコン１３は前記画像捕獲ユニット１１２が出力する画像を受信し、並びに前記指示ポイントと前記投影画面の相対位置を分析し、且つそのスクリーン上におけるカーソルのスクリーンで前記指示ポイントに対応し到達すべき位置を計算し、カーソルを前記到達すべき位置まで移動させる。
【００３１】
前記第一キー１２２は前記指示ポイントを発する機能以外に、さらにその他の機能を持つことができ、これに限るものではない。
【００３２】
前記ポインター１２の第二キー１２３はマウスの左ボタンの機能に似ている。報告者が前記投影スクリーン２に対して前記第二キー１２３を押すと、前記ワイヤレス発信モジュール１２４はワイヤレス方式によりクリック選択信号を発する。本考案の最適な実施例では、前記ワイヤレス発信モジュール１２４が発するクリック選択信号は赤外線形式であるが、これに限るものではなく、例えば高周波（Radio Frequency、略してRF）の形式でもよい。
【００３３】
前記クリック選択信号が発する方向は実質前記指示モジュール１２２が発する前記指示ポイントの方向と平行なので、前記クリック選択信号は前記投影スクリーン２により反射された後、前記ワイヤレス受信ユニット１１３により受信され、前記ワイヤレス受信ユニット１１３は前記クリック選択信号を前記パソコン１３に出力する。前記パソコン１３はカーソルがスクリーン上で指し示すファイル或いは物をクリック選択された状態にする。
【００３４】
前記ワイヤレス発信モジュール１２４が発するクリック選択信号が高周波の形式のとき、前記クリック選択信号は放送の形式により周囲に伝送され、前記ワイヤレス受信ユニット１１３により受信される。
【００３５】
前記画像捕獲ユニット１１２が前記ケース上に固定され、且つ前記投影出口との間に固定された相対的な位置関係があるので、ユーザーは使用時に毎回前記画像捕獲ユニット１１２の位置を調整する必要がなく、前記画像捕獲ユニット１１２はさらに前記赤色の指示ポイントと前記投影画面の画像を捕獲することができる。
【００３６】
このほか、前記投影制御ユニット１１１と前記画像捕獲ユニット１１２は一体化しているので、一つの電源だけでよく、報告者は別の電源を携帯する必要がない。
【００３７】
また、図３に本考案の別の実施例を示す。前記投影制御ユニット１１１は背面投射技術を用いた背面投射式プロジェクターでもよく、前記パソコン１３のスクリーンの画像を前記投影スクリーン２に投射でき、さらに前記投影スクリーン２に投射されたレーザー光ポイント（指示ポイント）を捕獲し次の処理を行う。
【００３８】
注意すべきことは、本考案のプレゼンテーションシステムのプロジェクター１１は独力で製造販売でき、並びに例えば液晶ディスプレイ(Liquid Crystal Display、略してLCD)、デジタル・ライト・プロセッシング（Digital Light Processing、略してDLP）、エルシーオーエス（Liquid Crystal On Silicon、略してLCOS）或いは陰極線管（Cathode Ray Tube、略してCRT）が投影する投影光源を有するが、これに限るものではなく、その他の従来のポインターが投射する指示ポイントの画像を捕獲しパソコンのスクリーンのカーソルを移動することができる。
【００３９】
上記をまとめると、本考案のプレゼンテーションシステムは従来のプロジェクター８１（図１）及び前記画像捕獲ユニット８４（図１）の機能とその二つの間の固定された位置関係と整合するので、報告者は使用時に毎回前記がそう捕獲ユニット１１２の位置を調整して前記ポインター１２の指示ポイント及び前記投影画面の映像を捕獲する手間を省くことができるので、確実に本考案の効果を達成することが可能である。
【００４０】
しかし、以上述べたことは、本考案における最良の実施例の詳細な説明と図にすぎず、本考案の特徴はこれだけに限られず、本考案を制限するものではない。本考案のすべての範囲は上記の請求範囲に準じ、本考案の請求範囲の主旨と類似した実施例に合致し、本考案の範疇に属する。この領域を熟知している技術者が、本実用新案の範囲内で、手を加え、変更したものはすべて、上記の実用新案登録請求の範囲内に含まれる。
【図面の簡単な説明】
【００４１】
【図１】従来のプレゼンテーションシステムにおけるプロジェクター、パソコン及び画像捕獲ユニットの接続関係を示す概略図。
【図２】本考案のプレゼンテーションシステムを示す概略図。
【図３】本考案のプレゼンテーションシステムの別の実施例を示す概略図。
【符号の説明】
【００４２】
１１    プロジェクター
１２２  指示モジュール
１１１  投射制御ユニット
１２３  第二キー
１１２  画像捕獲ユニット
１２４  ワイヤレス発信モジュール
１１３  ワイヤレス受信ユニット
１３    パソコン
１２    ポインター
２      投射スクリーン
１２１  第一キー
【図１】
0003128532.tif 000003
【図２】
0003128532.tif 000004
【図３】
0003128532.tif 000005
【手続補正書】
【提出日】平成18年11月1日(2006.11.1)
【手続補正１】
【補正対象書類名】実用新案登録請求の範囲
【補正対象項目名】請求項２
【補正方法】変更
【補正の内容】
【請求項２】
前記ケース箇所に前記投影制御ユニットから前記投影画面が投射される投影出口を設け、かつ前記画像捕獲ユニットは前記投影出口上端に設置されるレンズを有し、前記レンズの光軸と前記投影出口の光軸が互いに平行であることを特徴とする、請求項１に記載の画像を捕獲するプロジェクター。